(57)【特許請求の範囲】
【請求項１】
力率改善と、基準電圧に基づいた直流電流の生成と、を１つのコンバータで行い、前記直流電流を直流負荷に供給するワンコンバータ回路と、
前記直流負荷の駆動状態を指示する操作を受け付け、前記操作の操作量に応じた制御信号を生成する操作部と、
前記操作部が生成した前記制御信号に基づいて前記基準電圧を生成し、生成した前記基準電圧を前記ワンコンバータ回路に出力する変換回路と、
前記基準電圧と前記直流負荷からフィードバックした電圧とが等しくなるように、前記ワンコンバータ回路が前記直流負荷に供給する前記直流電流を制御する制御回路と、
を備えたリモート制御ワンコンバータ電源回路。
【請求項２】
さらに、前記変換回路から出力された信号を増幅する帰還増幅回路と、前記帰還増幅回路から出力された信号を平均化するフィルタ回路と、を備えた請求項１に記載のリモート制御ワンコンバータ電源回路。
【請求項３】
前記制御回路は、第１及び第２のスイッチ信号に基づいてオン及びオフするスイッチ回路と、前記スイッチ回路のオン及びオフによって前記直流負荷に直流電流を供給する電力供給回路と、前記基準電圧に基づく前記第１及び第２のスイッチ信号を前記スイッチ回路に出力し、
前記電力供給回路は、
前記スイッチ回路がオンのとき、整流回路からの直流電流に基づいて電気エネルギーを蓄積し、蓄積した前記電気エネルギーに基づいて直流電流を出力する蓄積回路と、
前記直流負荷と直列に接続されて前記蓄積回路からの前記直流電流によって充電される第１のコンデンサと、
前記直流負荷と並列に配置されて前記蓄積回路からの前記直流電流によって充電される第２のコンデンサとを有し、
前記直流負荷は、前記スイッチ回路がオンのとき、前記蓄積回路と前記第１のコンデンサからの直流電流によって駆動され、前記スイッチ回路がオフのとき、前記第２のコンデンサからの直流電流によって駆動される請求項１又は２に記載のリモート制御ワンコンバータ電源回路。
【発明の詳細な説明】
【技術分野】
【０００１】
本発明は、リモート制御ワンコンバータ電源回路に関する。
【背景技術】
【０００２】
従来の技術として、制御ＩＣ（Integrated Circuit）を用いて１つのスイッチング素子をオン及びオフすることにより、力率改善機能と、安定した直流電流を得る機能とを実現するＡＣ−ＤＣコンバータが知られている（例えば、特許文献１参照。）。このＡＣ−ＤＣコンバータには、直流電流にて駆動される負荷が接続される。しかし、従来のＡＣ−ＤＣコンバータは、負荷の駆動を細かく制御することができなかった。
【先行技術文献】
【特許文献】
【０００３】
【特許文献１】特開２００６−１３６０７６号公報
【発明の概要】
【発明が解決しようとする課題】
【０００４】
本発明の目的は、力率改善と、直流電流の生成とを１つのコンバータで実現しつつ、接続される直流負荷の駆動を連続的に制御することができるリモート制御ワンコンバータ電源回路を提供することにある。
【課題を解決するための手段】
【０００５】
［１］本発明は、上記目的を達成するため、力率改善と、基準電圧に基づいた直流電流の生成と、を１つのコンバータで行い、前記直流電流を直流負荷に供給するワンコンバータ回路と、前記直流負荷の駆動状態を指示する操作を受け付け、前記操作の操作量に応じた制御信号を生成する操作部と、前記操作部が生成した前記制御信号に基づいて前記基準電圧を生成し、生成した前記基準電圧を前記ワンコンバータ回路に出力する変換回路と、前記基準電圧と前記直流負荷からフィードバックした電圧とが等しくなるように、前記ワンコンバータ回路が前記直流負荷に供給する前記直流電流を制御する制御回路と、を備えたリモート制御ワンコンバータ電源回路を提供する。
［２］本発明は、上記目的を達成するため、さらに、前記変換回路から出力された信号を増幅する帰還増幅回路と、前記帰還増幅回路から出力された信号を平均化するフィルタ回路と、を備えた上記［１］に記載のリモート制御ワンコンバータ電源回路を提供する。
［３］前記制御回路は、第１及び第２のスイッチ信号に基づいてオン及びオフするスイッチ回路と、前記スイッチ回路のオン及びオフによって前記直流負荷に直流電流を供給する電力供給回路と、前記基準電圧に基づく前記第１及び第２のスイッチ信号を前記スイッチ回路に出力し、前記電力供給回路は、前記スイッチ回路がオンのとき、整流回路からの直流電流に基づいて電気エネルギーを蓄積し、蓄積した前記電気エネルギーに基づいて直流電流を出力する蓄積回路と、前記直流負荷と直列に接続されて前記蓄積回路からの前記直流電流によって充電される第１のコンデンサと、前記直流負荷と並列に配置されて前記蓄積回路からの前記直流電流によって充電される第２のコンデンサとを有し、前記直流負荷は、前記スイッチ回路がオンのとき、前記蓄積回路と前記第１のコンデンサからの直流電流によって駆動され、前記スイッチ回路がオフのとき、前記第２のコンデンサからの直流電流によって駆動される前記［１］又は［２］に記載のリモート制御ワンコンバータ電源回路を提供する。
【発明の効果】
【０００６】
本発明は、力率改善と、直流電流の生成とを１つのコンバータで実現しつつ、接続される直流負荷の駆動を連続的に制御することができる。
【図面の簡単な説明】
【０００７】
【図１】図１は、本発明の実施の形態に係るリモート制御ワンコンバータ電源回路の回路図である。
【図２】図２（ａ）は、本発明の実施の形態に係るＰＷＭレベル変換回路に入力するＰＷＭ信号のグラフであり、（ｂ）は、ワンコンバータ回路に入力する基準電圧ＶＲｅｆのグラフである。
【発明を実施するための形態】
【０００８】
［実施の形態］
（電源回路の構成）
図１は、本発明の実施の形態に係るリモート制御ワンコンバータ電源回路の回路図である。このリモート制御ワンコンバータ電源回路１０は、主に、力率改善と、基準電圧ＶＲｅｆに基づいた直流電流の生成と、を１つのコンバータで行い、直流電流を直流負荷に供給するワンコンバータ回路３０と、直流負荷の駆動状態を制御する制御信号としてのＰＷＭ（Pulse Width Modulation）信号から基準電圧ＶＲｅｆを生成し、生成した基準電圧ＶＲｅｆをワンコンバータ回路３０に出力するＰＷＭレベル変換回路５０と、を備えて概略構成されている。
【０００９】
さらに、このリモート制御ワンコンバータ電源回路１０は、図１に示すように、整流回路２０と、ＰＷＭレベル変換回路５０からレベル変換されて出力されたＰＷＭ信号を増幅する帰還増幅回路としてのバッファアンプ６０と、バッファアンプ６０から増幅されて出力されたＰＷＭ信号を、そのＤｕｔｙ比に応じて２．５〜２．７Ｖの電圧となるように平均化するフィルタ７０と、を備えて概略構成されている。
【００１０】
ワンコンバータ回路３０の出力端に接続される直流負荷（定電流負荷）は、特に限定するものではないが、有機ＥＬ（Organic Electro-Luminescence）やＬＥＤ（Light Emitting Diode）等の照明装置であり、例えば、複数個の発光ダイオード（ＬＥＤ）４１、…、４１を直列接続したＬＥＤ直列回路４０である。
【００１１】
リモート制御ワンコンバータ電源回路１０は、ＰＷＭレベル変換回路のコネクタ５１にコントローラ８０が接続されている。このコントローラ８０は、例えば、ボリューム８１を操作することにより、操作量に応じたＰＷＭ（Pulse Width Modulation）信号を出力するように構成されている。リモート制御ワンコンバータ電源回路１０は、例えば、このＰＷＭ信号に応じて接続された照明装置の調光を行うものである。なお、コントローラ８０は、例えば、ボリューム８１の操作量に応じたＰＷＭ信号を出力するものであれば製造メーカや種類等を選ばない。
【００１２】
（整流回路の構成）
整流回路２０は、図１に示すように、例えば、４個のダイオードで形成されたダイオードブリッジ２１からなる。整流回路２０は、商用交流電源１１から入力端子を通じて入力される交流電圧を全波整流して直流電圧に変換する。この直流電圧は整流回路２０の出力端子を通じてワンコンバータ回路３０へ供給される。
【００１３】
（ワンコンバータ回路の構成）
ワンコンバータ回路３０は、図１に示すように、入力電圧を所望の電圧まで昇圧又は降圧して一定の直流電流を生成する回路であり、リップル電流除去用のコンデンサ２２、トランスＴｒ、整流ダイオードＤ１、スイッチング素子（ＭＯＳＦＥＴ）Ｑ、一次コンデンサＣ１、逆流防止用ダイオードＤ２、二次コンデンサＣ２、及び制御ＩＣ３１を有している。
【００１４】
図示例にあっては、リップル電流除去用コンデンサ２２、トランスＴｒ、整流ダイオードＤ１、一次コンデンサＣ１、逆流防止用ダイオードＤ２及び二次コンデンサＣ２により電力供給回路が構成されている。また、トランスＴｒ、一次コンデンサＣ１、及び二次コンデンサＣ２により蓄積回路が構成されている。ワンコンバータ回路３０で力率改善した直流電流は、出力端子を通じてＬＥＤ直列回路４０へ出力される。
【００１５】
制御ＩＣ３１は、図１に示すように、整流回路２０からの入力電圧とスイッチング素子Ｑに流れる入力電流の波形を揃えて力率を改善する集積回路から構成されたものである。この種の制御ＩＣ３１としては、特に限定されるものではないが、例えば、富士電機株式会社製のＦＡ５５００及びＦＡ５５０１のように高調波電流抑制用あるいは力率改善用としてＩＣ化された回路を用いることができる。
【００１６】
図示例によると、制御ＩＣ３１が備える端子としては、電源電圧入力用のＶＣＣ端子、グランド接続用のＧＮＤ端子、フィードバック信号入力用のＦＢ端子、スイッチング駆動用の第１及び第２のスイッチ信号を出力するＯＵＴ端子、スイッチング電流検出用のＩＳ端子、ゼロ電流検出用のＺＣＤ端子、及び全波整流電圧に比例した電圧入力用のＭＵＬ端子が示されている。制御ＩＣ３１は、ＶＣＣ端子、ＦＢ端子、ＭＵＬ端子、ＩＳ端子、ＺＣＤ端子への入力信号に基づいて制御パルスを生成する。その制御パルスによりオン、オフ制御されるスイッチング素子Ｑがオンする時間に応じて出力電流の大きさを変化させることで力率が改善される。
【００１７】
制御ＩＣ３１のＶＣＣ端子とＧＮＤ端子との間には、図１に示すように、コンデンサＣ３が接続されている。コンデンサＣ３の一端は補助電源電圧ＶＣＣに接続されており、コンデンサＣ３の他端はグランドに接続されている。コンデンサＣ３の一端と補助電源電圧ＶＣＣとの間には抵抗Ｒ１を介して整流回路２０の正側端子（＋）が接続されている。抵抗Ｒ１とコンデンサＣ３との接続点は逆流防止用のダイオードＤ４を介してトランスＴｒの第２巻線Ｔｒ２に接続されている。
【００１８】
整流回路２０の正側端子及び制御ＩＣ３１のＧＮＤ端子の間は、図１に示すように、抵抗Ｒ２、Ｒ３からなる分圧抵抗に接続されている。その分圧抵抗の出力は制御ＩＣ３１のＭＵＬ端子に接続されている。ＭＵＬ端子には、整流回路２０の全波整流電圧を抵抗Ｒ２、Ｒ３で分圧した正弦波全波整流電圧（商用交流電源１１の絶対値電圧に比例した電圧波形）が入力され、力率の低下と高調波電流の発生を防止している。
【００１９】
リモート制御ワンコンバータ電源回路１０は、図１に示すように、単一のトランスＴｒを有する。トランスＴｒは、第１巻線Ｔｒ１と第２巻線Ｔｒ２とから構成されている。第１巻線Ｔｒ１の一端は整流回路２０の正側端子に接続されている。第１巻線Ｔｒ１の他端は、整流ダイオードＤ１、一次コンデンサＣ１、及び逆流防止用ダイオードＤ２からなる直列回路を介してＬＥＤ直列回路４０の一端（負極端子）に接続されている。第１巻線Ｔｒ１の一端と、一次コンデンサＣ１及び逆流防止用ダイオードＤ２のカソードの接続点とには充電用ダイオードＤ３が接続されている。スイッチング素子Ｑがオフ状態にあるとき、整流ダイオードＤ１、一次コンデンサＣ１、充電用ダイオードＤ３及びトランスＴｒの１次巻線Ｔｒ１の閉路で電流を循環させて一次コンデンサＣ１を充電する。
【００２０】
逆流防止用ダイオードＤ２は、図１に示すように、一次コンデンサＣ１への充電電流が逆流するのを防止する。逆流防止用ダイオードＤ２のアノードと整流回路２０の負側端子との間には二次コンデンサＣ２がＬＥＤ直列回路４０と並列に接続されている。整流ダイオードＤ１及び一次コンデンサＣ１の接続点にはスイッチング素子Ｑのドレインが接続されている。スイッチング素子Ｑのソースは電流検出用の抵抗Ｒ４を介してグランドに接続されている。スイッチング素子Ｑのソース及び抵抗Ｒ４の接続点は抵抗Ｒ５を介して制御ＩＣ３１のＩＳ端子に接続されており、スイッチング素子Ｑのスイッチング電流を検出する。スイッチング素子Ｑのゲートは抵抗Ｒ６を介して制御ＩＣ３１のＯＵＴ端子に接続されている。
【００２１】
トランスＴｒの第２巻線Ｔｒ２は、図１に示すように、一次巻線である第１巻線Ｔｒ１とは電気的に絶縁された状態にある。第２巻線Ｔｒ２の一端はグランドに接続されている。第２巻線Ｔｒ２の他端は抵抗Ｒ７を介して制御ＩＣ３１のＺＣＤ端子に接続されており、トランスＴｒに流れる電流値が検出される。スイッチング素子Ｑがオン状態からオフ状態になると、二次巻線である第２巻線Ｔｒ２に誘起された第１巻線Ｔｒ１の誘起電圧に比例した電圧によって二次巻線である第２巻線Ｔｒ２に電流が流れるように構成されている。第２巻線Ｔｒ２からの電圧に基づいてトランスＴｒの電流がゼロに戻ったことが検出されると、スイッチング素子Ｑをオン状態にする。
【００２２】
二次コンデンサＣ２の一端（正極端子）には、図１に示すように、抵抗Ｒ８、Ｒ９、Ｒ１０からなる直列回路が接続されている。抵抗Ｒ９と抵抗Ｒ１０との接続点には反転アンプ３２の非反転入力端子が接続されている。この抵抗Ｒ９と抵抗Ｒ１０とはＬＥＤ直列回路４０に流れる電流を検出する電流検出回路を構成している。
【００２３】
また、反転アンプ３２の反転入力端子には、増幅率を決定する入力抵抗としての抵抗Ｒ１１と帰還抵抗としての抵抗Ｒ１２が接続され、抵抗Ｒ１１は、フィルタ７０に接続されている。ワンコンバータ回路３０は、抵抗Ｒ８で検出されたＬＥＤ直列回路４０を流れる電流を抵抗Ｒ９とＲ１０で電圧のレベルを変換して反転アンプ３２の非反転入力端子に入力させ、非反転入力端子に入力した電圧が反転アンプ３２の反転入力端子に入力する基準電圧ＶＲｅｆに等しくなるようにフィードバック制御を行うように構成されている。リモート制御ワンコンバータ電源回路１０は、このフィードバック制御により、ＬＥＤ直列回路４０の発光ダイオード４１を調光することができる。抵抗Ｒ１２には、直流電流に含まれる全波整流リップル波形をフィルタするためのコンデンサＣ４が並列に接続されている。続いて、基準電圧ＶＲｅｆの生成について説明する。
【００２４】
（基準電圧ＶＲｅｆの生成について）
図２（ａ）は、本発明の実施の形態に係るＰＷＭレベル変換回路に入力するＰＷＭ信号のグラフであり、（ｂ）は、ワンコンバータ回路に入力する基準電圧ＶＲｅｆのグラフである。図２（ａ）及び（ｂ）の横軸は時間ｔを示し、縦軸は電圧Ｖを示している。コントローラ８０から出力されるＰＷＭ信号の周波数は、例えば、１ＫＨｚである。
【００２５】
図２（ａ）に示すＰＷＭ信号は、一例として、時間ｔ１〜ｔ２、及び時間ｔ３〜ｔ４は電圧Ｖが１０Ｖ、時間ｔ２〜ｔ３は電圧Ｖが０Ｖとなる。図２（ａ）は、時間ｔ１〜ｔ２、時間ｔ２〜ｔ３、時間ｔ３〜ｔ４がそれぞれ等しいＤｕｔｙ比５０％の場合を示している。
【００２６】
ＬＥＤ直列回路４０の発光ダイオード４１は、例えば、基準電圧ＶＲｅｆが２．７Ｖのとき、消灯（調光深度０％）し、基準電圧ＶＲｅｆが２．５Ｖのとき、点灯する（調光深度１００％）ように、リモート制御ワンコンバータ電源回路１０は構成されている。また、例えば、調光深度５０％は、図２（ａ）に示すように、コントローラ８０から入力するＰＷＭ信号のＤｕｔｙ比が５０％となることによって実現され、このときの基準電圧ＶＲｅｆは、図２（ｂ）に示すように、２．６Ｖとなる。制御ＩＣ３１は、反転アンプ３２の反転入力端子に入力する電圧値と、非反転入力端子に入力する電圧値が等しくなるようにフィードバック制御を行うため、基準電圧ＶＲｅｆに基づいてワンコンバータ回路３０からＬＥＤ直列回路４０に供給される直流電流が変化し、発光ダイオード４１の調光が可能となる。
【００２７】
ＰＷＭレベル変換回路５０は、例えば、コネクタ５１と、フォトカプラ５２と、抵抗Ｒ１３〜Ｒ１６と、ダイオードＤ５、Ｄ６と、ツェナーダイオードＤ７と、を備えて概略構成されている。
【００２８】
このＰＷＭレベル変換回路５０は、例えば、コントローラ８０から出力される０〜１０Ｖ又は１２ＶのＰＷＭ信号を２．５〜２．７ＶのＰＷＭ信号にレベル変換する回路である。
【００２９】
フォトカプラ５２は、例えば、ダイオードＤ５、Ｄ６と、受光素子５３と、を備えて概略構成されている。このフォトカプラ５２は、ダイオードＤ５とコネクタ５１の間に接続された抵抗Ｒ１３で調整されたＰＷＭ信号に応じてダイオードＤ５又はＤ６が点灯し、その点灯による光を受光素子５３で受光し、受光した光に応じた信号を出力するものである。
【００３０】
フォトカプラ５２の出力端子の一端は、抵抗Ｒ１４に接続され、他端は抵抗Ｒ１６に接続されている。また、抵抗Ｒ１４と抵抗Ｒ１５の接続点は、補助電源電圧ＶＣＣに接続されている。補助電源電圧ＶＣＣ及び抵抗Ｒ１４と接続する一端とは異なる抵抗Ｒ１５の他端は、受光素子５３と接続する一端とは異なる抵抗Ｒ１６の他端と接続され、その接続点は、さらに、ツェナーダイオードＤ７を介して接地されている。このツェナーダイオードＤ７は、カソードが接地され、電圧２．５Ｖを安定して生成する目的で配置されている。
【００３１】
抵抗Ｒ１６の受光素子５３と接続する接続点は、バッファアンプ６０に接続されている。フォトカプラ５２がオフのとき、ツェナーダイオードＤ７により作られる電圧２．５Ｖがバッファアンプ６０に出力される。また、フォトカプラ５２がオンのとき、抵抗Ｒ１４とＲ１６によって分圧された分圧値（０．２Ｖ）が、ツェナーダイオードＤ７により作られる電圧２．５Ｖに加算され、電圧２．７Ｖがバッファアンプ６０に出力される。つまり、バッファアンプ６０の反転入力端子には、２．５〜２．７Ｖの電圧が出力される。なお、ＰＷＭレベル変換回路５０によってＰＷＭ信号に応じた２．５〜２．７Ｖの電圧を生成することができるので、リモート制御ワンコンバータ電源回路１０は、ＰＷＭレベル変換回路５０の出力をワンコンバータ回路３０に出力する構成であっても良い。
【００３２】
バッファアンプ６０は、例えば、負帰還増幅を行う１倍増幅アンプであり、その出力はフィルタ７０に出力される。
【００３３】
フィルタ７０は、ＰＷＭ信号を平均化するため、抵抗Ｒ１７とコンデンサＣ５により積分回路が構成されている。このフィルタ７０のカットオフ周波数は、ＰＷＭ信号の周波数が１ＫＨｚであることから、その５％を目安に約５０Ｈｚとしている。
【００３４】
（ワンコンバータ電源回路の動作）
まず、力率改善と、ＬＥＤ直列回路４０に一定の直流電流を供給する動作について各図を参照して説明する。
【００３５】
商用交流電源１１がリモート制御ワンコンバータ電源回路１０に印加されると、商用交流電源１１からの電源電圧は整流回路２０に供給される。電源電圧は、整流回路２０により全波整流された後、全波整流された直流電流はワンコンバータ回路３０に供給される。制御ＩＣ３１に直流電流が供給されて動作を開始し、スイッチング素子Ｑにゲート電圧が印加することになる。
【００３６】
図１において、スイッチング素子Ｑがオン状態にあるときにスイッチング素子Ｑを通してスイッチング電流がグランドへ流れる。そのときの電流エネルギーはトランスＴｒの第１巻線Ｔｒ１に蓄積される。その後、スイッチング素子Ｑがオフ状態になると、第１巻線Ｔｒ１への電流の流入が停止され、第１巻線Ｔｒ１に蓄積された電流エネルギーは整流ダイオードＤ１を介して放出され、一次コンデンサＣ１に蓄積される。一次コンデンサＣ１は、スイッチング素子Ｑがオン状態にあるときに第１の出力電源として機能する。一次コンデンサＣ１に蓄積された電流エネルギーは放出され、スイッチング素子Ｑ、二次コンデンサＣ２、及び一次コンデンサＣ１の閉路で電流が流れ、二次コンデンサＣ２に充電電流を供給するとともに、スイッチング素子Ｑ、ＬＥＤ直列回路４０、逆流防止用ダイオードＤ２、及び一次コンデンサＣ１の閉路で電流が流れる。
【００３７】
一方、ＬＥＤ直列回路４０の電流検出回路である抵抗Ｒ９、Ｒ１０からなる分圧抵抗の出力は、図１に示すように、反転アンプ３２の非反転入力端子に入力される。制御ＩＣ３１は、非反転入力端子に入力した分圧抵抗の出力が反転アンプ３２の反転入力端子に入力する基準電圧ＶＲｅｆに等しくなるように、フィードバック制御を行う。
【００３８】
また、制御ＩＣ３１はＦＢ端子に入力する電圧に基づいてスイッチング素子Ｑを駆動するスイッチング信号を生成してスイッチング素子Ｑを制御することにより、トランスＴｒの一次巻線である第１巻線Ｔｒ１に流れる電流の平均値は商用交流電源１１の電圧波形に等しくなり、力率の向上と高調波電流の抑制を実現することができる。また、リモート制御ワンコンバータ電源回路１０は、ＬＥＤ直列回路４０に一定の直流電流を供給することができる。
【００３９】
次に、リモート制御ワンコンバータ電源回路１０による、ＬＥＤ直列回路４０の発光ダイオード４１の調光の動作について説明する。
【００４０】
ユーザは、コントローラ８０のボリューム８１を操作して、発光ダイオード４１の調光を行う。
【００４１】
コントローラ８０は、ボリューム８１の操作量に基づいたＰＷＭ信号を出力する。このＰＷＭ信号は、操作量に基づいたＤｕｔｙ比となっている。
【００４２】
ＰＷＭ信号は、コネクタ５１を介してＰＷＭレベル変換回路５０に入力する。ＰＷＭレベル変換回路５０は、入力したＰＷＭ信号をレベル変換してバッファアンプ６０に出力する。具体的には、ＰＷＭレベル変換回路５０は、フォトカプラ５２がオフのとき、ツェナーダイオードＤ７により作られる電圧２．５Ｖにレベル変換されたＰＷＭ信号をバッファアンプ６０に出力し、フォトカプラ５２がオンのとき、抵抗Ｒ１４とＲ１６によって分圧された分圧値（０．２Ｖ）を２．５Ｖに加算した電圧２．７Ｖにレベル変換されたＰＷＭ信号をバッファアンプ６０に出力する。
【００４３】
バッファアンプ６０に入力したレベル変換されたＰＷＭ信号は、負帰還増幅されてフィルタ７０に出力される。フィルタ７０は、増幅されて出力されたＰＷＭ信号を、Ｄｕｔｙ比に応じて２．５〜２．７Ｖの電圧となるように平均化して基準電圧ＶＲｅｆとしてワンコンバータ回路３０に出力する。
【００４４】
ワンコンバータ回路３０の制御ＩＣ３１は、上記に示したように、抵抗Ｒ８で検出されたＬＥＤ直列回路４０を流れる電流を抵抗Ｒ９とＲ１０で電圧のレベルを変換して反転アンプ３２の非反転入力端子に入力させ、非反転入力端子に入力した電圧が反転アンプ３２の反転入力端子に入力する基準電圧ＶＲｅｆに等しくなるようにフィードバック制御を行う。このフィードバック制御によって、発光ダイオード４１は、ワンコンバータ回路３０から供給される直流電流が変化するので、コントローラ８０のボリューム８１の操作量に応じた調光深度で発光する。
【００４５】
なお、コントローラ８０によっては、ボリューム８１を完全に絞っても、調光深度が０％とならないものがあるため、ＰＷＭレベル変換回路５０の抵抗Ｒ１４と補助電源電圧ＶＣＣの間に可変抵抗を増設して、バッファアンプ６０に出力される電圧値を制御するように構成しても良い。
【００４６】
（効果）
上記に記載のリモート制御ワンコンバータ電源回路１０は、力率改善と直流電流の生成を１つのコンバータで行うワンコンバータ形式でありながら、この回路に接続される発光ダイオード４１を調光することができる。
【００４７】
また、上記のリモート制御ワンコンバータ電源回路１０は、調光機能を制御ＩＣ３１に組み込む場合と比べて、ＰＷＭレベル変換回路５０、バッファアンプ６０及びフィルタ７０といった簡単な回路を追加することにより接続された発光ダイオード４１を調光することができるので、低コストとなる。
【００４８】
さらに、上記のリモート制御ワンコンバータ電源回路１０は、コントローラ８０から出力されるＰＷＭ信号に基づいて調光を行うので、市販される様々なコントローラを用いることができ、汎用性が高い。
【００４９】
またさらに、上記のリモート制御ワンコンバータ電源回路１０は、接続される直流負荷に応じて入力電圧を所望の電圧まで昇圧又は降圧して一定の直流電流を生成することができる。
【００５０】
上記の実施の形態では、照明装置の電源回路を例示したが、本発明はこれに限定されるものではない。本発明は、定電流負荷の場合は、例えばエアコン、冷蔵庫、換気扇やポンプ等の直流モータ駆動用の電源回路などとして効果的に使用することができることは勿論であり、定電圧負荷の場合は、例えば汎用の直流電圧電源としての使用が可能である。従って、本発明は、上記各実施の形態に限定されるものではなく、様々に設計変更が可能である。
【符号の説明】
【００５１】
１０…リモート制御ワンコンバータ電源回路、１１…商用交流電源、２０…整流回路、２１…ダイオードブリッジ、２２…コンデンサ、３０…ワンコンバータ回路、３２…反転アンプ、３３…エラーアンプ、３４…乗算器、３５…比較器、３６…フリップフロップ、３７…ドライバ、３８…ゼロ電流検出器、４０…ＬＥＤ直列回路、４１…発光ダイオード、５０…ＰＷＭレベル変換回路、５１…コネクタ、５２…フォトカプラ、５３…受光素子、６０…バッファアンプ、７０…フィルタ、８０…コントローラ、８１…ボリューム、Ｃ１…一次コンデンサ、Ｃ２…二次コンデンサ、Ｃ３〜Ｃ５…コンデンサ、Ｄ１〜Ｄ６…ダイオード、Ｄ７…ツェナーダイオード、３１…制御ＩＣ、Ｑ…スイッチング素子、Ｒ…リセット端子、Ｒ１〜Ｒ１７…抵抗、Ｔｒ…トランス、Ｔｒ１…第１巻線、Ｔｒ２…第２巻線、ＶＣＣ…補助電源電圧、ＶＲｅｆ…基準電圧
【図１】
0005645303.tif 000002
【図２】
0005645303.tif 000003